(57)【要約】【課題】流体を所望の場所に移送するためのプロペラをさらに備える必要がなく、薄型化及び製造コストダウンの効果を奏することができるスイッチドリラクタンスモータを提供する。【解決手段】本発明によるスイッチドリラクタンスモータは、中央部に回転軸１１２が固定結合されるロータコア１１０と、ロータコア１１０から突出して形成される複数個のロータポール１２０とを含むロータ部１００と、ロータ部１００を内部に回転可能に収容するステータヨーク２１０と、ロータポール１２０と対向するようにステータヨーク２１０から突出して形成される複数個のステータ突極２２０とを含むステータ部２００と、ロータポール１２０の外側に結合し、ロータ部１００と一体に回転する補助ロータポール１３０と、を含むものである。【選択図】図１
2013128402.tif 000002
【特許請求の範囲】
【請求項１】
中央部に回転軸が固定結合されるロータコアと、前記ロータコアから突出して形成される複数個のロータポールとを含むロータ部と、
前記ロータ部を内部に回転可能に収容するステータヨークと、前記ロータポールと対向するように前記ステータヨークから突出して形成される複数個のステータ突極とを含むステータ部と、
前記ロータポールの外側に結合し、前記ロータ部と一体に回転する補助ロータポールと、
を含むことを特徴とするスイッチドリラクタンスモータ。
【請求項２】
前記補助ロータポールは、
プラスチックまたは合成樹脂の何れか一つからなることを特徴とする請求項１に記載のスイッチドリラクタンスモータ。
【請求項３】
前記ステータ突極に複数回巻線されるコイルをさらに含むことを特徴とする請求項１に記載のスイッチドリラクタンスモータ。
【請求項４】
前記補助ロータポールは、
前記ロータポール同士の間に形成される流体吸入路に位置するように、前記ロータポールの外側に固定して結合されることを特徴とする請求項１に記載のスイッチドリラクタンスモータ。
【請求項５】
前記補助ロータポールが前記ロータポールの外側に固定して結合した前記ロータ部の断面は、プロペラ形状を有することを特徴とする請求項４に記載のスイッチドリラクタンスモータ。
【請求項６】
前記ステータ突極は、
所定の角度を有するスキュー形状を有することを特徴とする請求項１に記載のスイッチドリラクタンスモータ。
【請求項７】
中央部に回転軸が固定結合されるロータコアと、前記ロータコアから突出して形成される複数個のロータポールとを含むロータ部と、
前記ロータ部を内部に回転可能に収容するステータヨークと、前記ロータポールと対向するように前記ステータヨークから突出して形成される複数個のステータ突極とを含むステータ部と、を含み、
前記ロータポールは前記回転軸を基準として所定の角度で傾斜して形成されることを特徴とするスイッチドリラクタンスモータ。
【請求項８】
前記ロータポールは、
前記回転軸を基準として一端から他端に向かって所定の角度で傾斜して形成されるスキュー形状を有することを特徴とする請求項７に記載のスイッチドリラクタンスモータ。
【請求項９】
前記ロータ部の断面は、プロペラ形状を有することを特徴とする請求項７に記載のスイッチドリラクタンスモータ。
【請求項１０】
前記ステータ突極に複数回巻線されるコイルをさらに含むことを特徴とする請求項７に記載のスイッチドリラクタンスモータ。
【請求項１１】
前記ステータ突極は、
所定の角度を有するスキュー形状を有することを特徴とする請求項７に記載のスイッチドリラクタンスモータ。
【発明の詳細な説明】
【技術分野】
【０００１】
本発明は、スイッチドリラクタンスモータに関する。
【背景技術】
【０００２】
通常、外部の流体を所望の場所に移送するためには、ポンプまたは送風機を用いる方式を利用するが、このような方式によると、モータを構成する回転軸の一端に備えられたプロペラを用いて液体または気体を所望の場所に移送することができる。
【０００３】
しかし、このようにモータと一体に回転する回転軸の一端にプロペラが位置する場合、前記モータのサイズが増加するだけでなく、プロペラをさらに製造することで製造コストが上昇する問題点がある。
【発明の概要】
【発明が解決しようとする課題】
【０００４】
本発明は、前記のような従来技術の問題点を解決するために導き出されたものであり、本発明の目的は、プロペラ形状を有するロータ部を含むスイッチドリラクタンスモータを提供することにある。
【課題を解決するための手段】
【０００５】
本発明の第１実施例によるスイッチドリラクタンスモータは、中央部に回転軸が固定結合されるロータコアと、前記ロータコアから突出して形成される複数個のロータポールとを含むロータ部と、前記ロータ部を内部に回転可能に収容するステータヨークと、前記ロータポールと対向するように前記ステータヨークから突出して形成される複数個のステータ突極とを含むステータ部と、前記ロータポールの外側に結合し、前記ロータ部と一体に回転する補助ロータポールと、を含むことを特徴とする。
【０００６】
また、前記補助ロータポールは、プラスチックまたは合成樹脂の何れか一つからなることを特徴とする。
【０００７】
また、前記ステータ突極に複数回巻線されるコイルをさらに含むことを特徴とする。
【０００８】
また、前記補助ロータポールは、前記ロータポール同士の間に形成される流体吸入路に位置するように、前記ロータポールの外側に固定して結合されることを特徴とする。
【０００９】
また、前記補助ロータポールが前記ロータポールの外側に固定して結合した前記ロータ部の断面は、プロペラ形状を有することを特徴とする。
【００１０】
また、前記ステータ突極は、所定の角度を有するスキュー形状を有することを特徴とする。
【００１１】
また、本発明の第２実施例によるスイッチドリラクタンスモータは、中央部に回転軸が固定結合されるロータコアと、前記ロータコアから突出して形成される複数個のロータポールとを含むロータ部と、前記ロータ部を内部に回転可能に収容するステータヨークと、前記ロータポールと対向するように前記ステータヨークから突出して形成される複数個のステータ突極とを含むステータ部と、を含み、前記ロータポールは前記回転軸を基準として所定の角度で傾斜して形成されることを特徴とする。
【００１２】
また、前記ロータポールは、前記回転軸を基準として一端から他端に向かって所定の角度で傾斜して形成されるスキュー形状を有することを特徴とする。
【００１３】
また、前記ロータ部の断面は、プロペラ形状を有することを特徴とする。
【００１４】
また、前記ステータ突極に複数回巻線されるコイルをさらに含むことを特徴とする。
【００１５】
また、前記ステータ突極は、所定の角度を有するスキュー形状を有することを特徴とする。
【発明の効果】
【００１６】
本発明では、プロペラ形状を有するロータ部を提供することで、流体を所望の場所に移送するためのプロペラをさらに備える必要がなく、モータの薄型化及び製造コストダウンの効果を奏することができる。
【図面の簡単な説明】
【００１７】
【図１】本発明の第１実施例によるスイッチドリラクタンスモータの分解斜視図である。
【図２】図１に図示されたスイッチドリラクタンスモータのロータ部と補助ロータポールの結合斜視図である。
【図３】図２に図示されたロータ部と補助ロータポールの断面図である。
【図４】本発明の第２実施例によるスイッチドリラクタンスモータの分解斜視図である。
【図５】図４に図示されたスイッチドリラクタンスモータのロータ部の斜視図である。
【発明を実施するための形態】
【００１８】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００１９】
以下、添付図面を参照して、本発明の好ましい実施例を詳細に説明する。
【００２０】
図１は、本発明の第１実施例によるスイッチドリラクタンスモータの分解斜視図である。
【００２１】
図１に図示されたように、前記スイッチドリラクタンスモータは、ロータ部１００と、ステータ部２００と、補助ロータポール１３０と、コイル（不図示）と、を含むことを特徴とする。
【００２２】
前記ロータ部１００は、金属材質からなるロータコア１１０と、複数個のロータポール１２０と、を含む。
【００２３】
より具体的に、前記ロータコア１１０の中心部には、中空孔１１１（図２参照）が形成され、前記中空孔１１１（図２参照）に回転軸１１２が固定して結合され、前記ロータ部１００の回転力を外部に伝達する。
【００２４】
また、複数個の前記ロータポール１２０は、前記ロータコア１１０の外周面に沿って突出して形成され、前記ロータポール１２０ａ（図２参照）及びロータポール１２０ｂ（図２参照）は、前記ロータ部１００が回転しながら外部の流体を吸入または排出するための流体吸入路１２１（図３参照）を形成する。
【００２５】
図２は、図１に図示されたスイッチドリラクタンスモータのロータ部と補助ロータポールの結合斜視図であり、図３は、図２に図示されたロータ部と補助ロータポールの断面図である。
【００２６】
図２及び図３に図示されたように、前記補助ロータポール１３０は、前記ロータポール１２０の外側に固定して結合する。
【００２７】
より具体的に、前記補助ロータポール１３０は、前記ロータポール１２０の外側に結合し、前記ロータ部１００と一体に回転する。
【００２８】
また、前記補助ロータポール１３０は、プラスチックまたは合成樹脂の何れか一つからなることで、本発明の実施例による前記ロータ部１００とステータ部２００の電磁相互作用によるフラックス（ｆｌｕｘ）の移動を干渉しなくなる。
【００２９】
また、図２に図示されたように、前記補助ロータポール１３０は、前記ロータポール１２０とロータポール１２０との間に形成される流体吸入路１２１に位置するように、それぞれの前記ロータポール１２０の外側に固定して結合される。
【００３０】
また、図３に図示されたように、外部の流体を容易に吸入または排出するために、前記補助ロータポール１３０が前記ロータポール１２０の外側に結合されることで、前記ロータ部１００の断面は、プロペラ形状を有する。
【００３１】
これにより、本発明の第１実施例による前記スイッチドリラクタンスモータは、前記回転軸１１２にプロペラ状のファンをさらに結合しなくても前記ロータ部１００のみで外部の流体を吸入または排出することができる。
【００３２】
図１に図示されたように、前記ステータ部２００は、金属材質のステータヨーク２１０と、複数個のステータ突極２２０とを含む。
【００３３】
より具体的に、前記ステータヨーク２１０は、前記ロータ部１００を内部に回転可能に収容するために、前記ロータ部１００の外径より大きい内径を有する中空孔２１１が形成された円筒形状を有することが好ましい。
【００３４】
また、前記複数個のステータ突極２２０は、前記ロータポール１２０と対向するように前記ステータヨーク２１０の内周面から突出して形成され、外部から電源の印加を受けるコイル（不図示）が前記ステータ突極２２０に複数回巻線される。
【００３５】
また、前記ステータ突極２２０は、所定の角度を有するスキュー形状を有することが好ましい。
【００３６】
これにより、前記ロータ部１００とステータ部２００との間で生じるトルクリップルが減少し、回転時に流体を移動させる効果がある。
【００３７】
図４は、本発明の第２実施例によるスイッチドリラクタンスモータの分解斜視図であり、図５は、図４に図示されたスイッチドリラクタンスモータのロータ部の斜視図である。
【００３８】
本実施例を説明するにあたり、前の実施例と同一であるか対応する構成要素に対しては同一の図面番号を与え、重複する部分に対する説明は省略する。
【００３９】
以下、これを参照して本実施例によるスイッチドリラクタンスモータについて説明する。
【００４０】
図４に図示されたように、前記スイッチドリラクタンスモータは、ロータ部３００、ステータ部４００及びコイル（不図示）を含むことを特徴とする。
【００４１】
前記ロータ部３００は、金属材質からなるロータコア３１０と、複数個のロータポール３２０とを含む。
【００４２】
より具体的に、前記ロータコア３１０の中心部には、中空孔３１１が形成され、前記中空孔３１１に回転軸３１２が固定して結合され、前記ロータ部３００の回転力を外部に伝達する。
【００４３】
また、複数個の前記ロータポール３２０は、前記ロータコア３１０の外周面に沿って突出して形成され、隣接した２つのロータポール３２０は、前記ロータ部３００が回転しながら外部の流体を吸入または排出するための流体吸入路３２１を形成する。
【００４４】
また、前記ロータポール３２０は、前記回転軸３１２を基準として一端から他端に向かって所定の角度（θ）で傾斜して形成されるスキュー形状を有する。
【００４５】
また、前記ロータポール３２０とロータポール３２０との間に形成される前記流体吸入路３２１に向かう前記ロータポールの外側面３２２は、曲面に形成され、前記ロータ部３００の断面は、プロペラ形状を有する。
【００４６】
これにより、本発明の第２実施例による前記スイッチドリラクタンスモータは、前記回転軸３１２にプロペラ状のファンをさらに結合しなくても、前記ロータ部３００のみで外部の流体を吸入または排出することができる。
【００４７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４８】
本発明の単純な変形乃至変更はいずれも本発明の領域に属するものであり、本発明の具体的な保護範囲は添付の特許請求の範囲により明確になるであろう。
【産業上の利用可能性】
【００４９】
本発明は、スイッチドリラクタンスモータに適用可能である。
【符号の説明】
【００５０】
１００  ロータ部
１１０  ロータコア
１１１  中空孔
１１２  回転軸
１２０、１２０ａ、１２０ｂ  ロータポール
１２１  流体吸入路
１３０  補助ロータポール
２００  ステータ部
２１０  ステータヨーク
２１１  中空孔
２２０  ステータ突極
３００  ロータ部
３１０  ロータコア
３１１  中空孔
３１２  回転軸
３２０  ロータポール
３２１  流体吸入路
３２２  ロータポールの外側面
４００  ステータ部
【図１】
2013128402.tif 000003
【図２】
2013128402.tif 000004
【図３】
2013128402.tif 000005
【図４】
2013128402.tif 000006
【図５】
2013128402.tif 000007